(57)【要約】【課題】下りリンクにおけるＣｏＭＰ送信処理が行われる場合に、不要なＣＳＩの報告を回避する。【解決手段】本発明に係る移動通信方法は、無線基地局ｅＮＢが、配下のセルに接続している移動局ＵＥに対して、ＲＲＣ信号によって、ＣＳＩプロセスを設定する工程Ａと、無線基地局ｅＮＢが、移動局ＵＥに対して、ＭＡＣ-ＣＥ信号によって、設定されたＣＳＩプロセスのうちＣＳＩを報告すべきＣＳＩプロセスを指定する工程Ｂと、移動局ＵＥが、無線基地局ｅＮＢに対して、指定されているＣＳＩプロセスに関連付けられているリソースを用いてＣＳＩを報告する工程Ｃとを有する。【選択図】図３
2014138395.tif 000002
【特許請求の範囲】
【請求項１】
無線基地局が、下りリンクにおけるマルチポイント協調送信処理を行う際に、配下のセルに接続している移動局に対して、ＲＲＣ（Ｒａｄｉｏ  Ｒｅｓｏｕｒｃｅ  Ｃｏｎｔｒｏｌ）信号によって、ＣＳＩ（Ｃｈａｎｎｅｌ  Ｓｔａｔｅ  Ｉｎｆｏｒｍａｔｉｏｎ）プロセスを設定する工程Ａと、
前記無線基地局が、前記移動局に対して、ＭＡＣ-ＣＥ（Ｍｅｄｉａ  Ａｃｃｅｓｓ  Ｃｏｎｔｒｏｌ  Ｃｏｎｔｒｏｌ  Ｅｌｅｍｅｎｔ）信号によって、設定された前記ＣＳＩプロセスのうちＣＳＩを報告すべきＣＳＩプロセスを指定する工程Ｂと、
前記移動局が、指定された前記ＣＳＩプロセスに関連付けられているリソースを用いて、前記無線基地局に対して、ＣＳＩを報告する工程Ｃとを有することを特徴とする移動通信方法。
【請求項２】
前記工程Ｂにおいて、キャリアアグリゲーションにおけるＳｃｅｌｌのアクティブ化及びディアクティブ化に用いられる前記ＭＡＣ-ＣＥ信号内のリザーブビットを用いて、前記ＣＳＩプロセスの指定を行うことを特徴とする請求項１に記載の移動通信方法。
【請求項３】
無線基地局であって、
下りリンクにおけるマルチポイント協調送信処理を行う際に、前記無線基地局配下のセルに接続している移動局に対して、ＲＲＣ（Ｒａｄｉｏ  Ｒｅｓｏｕｒｃｅ  Ｃｏｎｔｒｏｌ）信号によって、ＣＳＩ（Ｃｈａｎｎｅｌ  Ｓｔａｔｅ  Ｉｎｆｏｒｍａｔｉｏｎ）プロセスを設定し、該移動局に対して、ＭＡＣ-ＣＥ（Ｍｅｄｉａ  Ａｃｃｅｓｓ  Ｃｏｎｔｒｏｌ  Ｃｏｎｔｒｏｌ  Ｅｌｅｍｅｎｔ）信号によって、設定された該ＣＳＩプロセスのうちＣＳＩを報告すべきＣＳＩプロセスを指定するように構成されている送信部と、
前記移動局から、指定した前記ＣＳＩプロセスに関連付けられているリソースを介してＣＳＩを受信するように構成されている受信部とを具備することを特徴とする無線基地局。
【請求項４】
前記送信部は、キャリアアグリゲーションにおけるＳｃｅｌｌのアクティブ化及びディアクティブ化に用いられる前記ＭＡＣ-ＣＥ信号内のリザーブビットを用いて、前記ＣＳＩプロセスの指定を行うように構成されていることを特徴とする請求項３に記載の無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式において、セル端に位置する移動局ＵＥにおけるスループットの改善等を図ることを目的として、下りリンクにおけるＣｏＭＰ（Ｃｏｏｒｄｉｎａｔｅｄ  Ｍｕｌｔｉ-Ｐｏｉｎｔ、マルチポイント協調）送信処理及び上りリンクにおけるＣｏＭＰ受信処理を適用することについて検討されている。
【０００３】
下りリンクにおけるＣｏＭＰ送信処理が行われる場合、無線基地局ｅＮＢが、配下のセルに接続している移動局ＵＥに対して、複数のＣＳＩ（Ｃｈａｎｎｅｌ  Ｓｔａｔｅ  Ｉｎｆｏｒｍａｔｉｏｎ）プロセスを設定するように構成されている。
【０００４】
かかるＣｏＭＰ送受信処理が行われる場合、移動局ＵＥは、無線基地局ｅＮＢに対して、設定されているＣＳＩプロセスごとに、ＣＳＩを報告するように構成されている。
【先行技術文献】
【非特許文献】
【０００５】
【非特許文献１】３ＧＰＰ  ＴＲ３６.８１９  「Ｃｏｏｒｄｉｎａｔｅｄ  Ｍｕｌｔｉ−Ｐｏｉｎｔ  Ｏｐｅｒａｔｉｏｎ  ｆｏｒ  ＬＴＥ  Ｐｈｙｓｉｃａｌ  Ｌａｙｅｒ  Ａｓｐｅｃｔｓ」
【発明の概要】
【発明が解決しようとする課題】
【０００６】
しかしながら、上述の下りリンクにおけるＣｏＭＰ送信処理の仕様では、移動局ＵＥは、使用される頻度の低いＣＳＩプロセスであっても、ＣＳＩを報告しなければならないため、上り無線リソースにおける負荷が大きくなってしまうという問題点があった。
【０００７】
そこで、本発明は、上述の課題に鑑みてなされたものであり、下りリンクにおけるＣｏＭＰ送信処理が行われる場合に、不要なＣＳＩの報告を回避することができる移動通信方法及び無線基地局を提供することを目的とする。
【課題を解決するための手段】
【０００８】
本発明の第１の特徴は、移動通信方法であって、無線基地局が、下りリンクにおけるマルチポイント協調送信処理を行う際に、配下のセルに接続している移動局に対して、ＲＲＣ（Ｒａｄｉｏ  Ｒｅｓｏｕｒｃｅ  Ｃｏｎｔｒｏｌ）信号によって、ＣＳＩプロセスを設定する工程Ａと、前記無線基地局が、前記移動局に対して、ＭＡＣ-ＣＥ（Ｍｅｄｉａ  Ａｃｃｅｓｓ  Ｃｏｎｔｒｏｌ  Ｃｏｎｔｒｏｌ  Ｅｌｅｍｅｎｔ）信号によって、設定された前記ＣＳＩプロセスのうちＣＳＩを報告すべきＣＳＩプロセスを指定する工程Ｂと、前記移動局が、指定された前記ＣＳＩプロセスに関連付けられているリソースを用いて、前記無線基地局に対して、ＣＳＩを報告する工程Ｃとを有することを要旨とする。
【０００９】
本発明の第２の特徴は、無線基地局であって、下りリンクにおけるマルチポイント協調送信処理を行う際に、前記無線基地局配下のセルに接続している移動局に対して、ＲＲＣ信号によって、ＣＳＩプロセスを設定し、該移動局に対して、ＭＡＣ-ＣＥ信号によって、設定された該ＣＳＩプロセスのうちＣＳＩを報告すべきＣＳＩプロセスを指定するように構成されている送信部と、前記移動局から、指定した前記ＣＳＩプロセスに関連付けられているリソースを介してＣＳＩを受信するように構成されている受信部とを具備することを要旨とする。
【発明の効果】
【００１０】
以上説明したように、本発明によれば、下りリンクにおけるＣｏＭＰ送信処理が行われる場合に、不要なＣＳＩの報告を回避することができる移動通信方法及び無線基地局を提供することができる。
【図面の簡単な説明】
【００１１】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで用いられる「ＭＡＣ  Ｃｏｎｔｒｏｌ  Ｅｌｅｍｅｎｔ」の一例を示す図である。
【図４】本発明の変更例１に係る移動通信システムで用いられる「ＭＡＣ  Ｃｏｎｔｒｏｌ  Ｅｌｅｍｅｎｔ」の一例を示す図である。
【発明を実施するための形態】
【００１２】
（本発明の第１の実施形態に係る移動通信システム）
図１乃至図４を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１３】
本実施形態に係る移動通信システムは、下りリンクにおけるＣｏＭＰ送信処理を行うことができるように構成されている。
【００１４】
図１に示すように、本実施形態に係る移動通信システムでは、セル＃１〜＃５において、下りリンクにおけるＣｏＭＰ送信処理を提供することができるように構成されている、すなわち、セル＃１〜＃５が、下りリンクにおけるＣｏＭＰ送信処理のサポートエリアとなるように構成されているものとする。
【００１５】
なお、セル＃１〜＃５は、同一の無線基地局ｅＮＢによって管理されていてもよいし、異なる無線基地局ｅＮＢによって管理されていてもよい。また、セル＃１〜＃５は、異なるカバレッジエリアを有しているものとする。
【００１６】
また、セル＃１〜＃５は、マクロセルであってもよいし、マクロセルに地理的に重なるスモールセルであってもよい。
【００１７】
また、各セル＃１〜＃５では、ＣＲＳ（Ｃｅｌｌ  ｓｐｅｃｉｆｉｃ  Ｒｅｆｅｒｅｎｃｅ  Ｓｉｇｎａｌ）に加えて、ＣＳＩ-ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を送信することができるように構成されている。
【００１８】
ここで、ＣＲＳは、ＬＴＥのＲｅｌ-８/９方式で規定されている参照信号であって、各セル内の全ての移動局ＵＥに対して共通に設定される参照信号である。
【００１９】
一方、ＣＳＩ-ＲＳは、ＬＴＥのＲｅｌ-１０方式で規定されている参照信号であって、ＲＲＣ（Ｒａｄｉｏ  Ｒｅｓｏｕｒｃｅ  Ｃｏｎｔｒｏｌ）信号を用いて移動局ＵＥごとに個別に設定される参照信号である。
【００２０】
ＣＳＩ-ＲＳは、サービングセルや周辺セル（ハンドオーバ先候補）等の品質測定処理のために用いられてもよいし、サービングセルにおけるＣＳＩを測定するために用いられてもよい。
【００２１】
なお、上述の品質測定処理のために用いられるＣＳＩ-ＲＳ及び上述のＣＳＩを測定するために用いられるＣＳＩ-ＲＳは、同じものであってもよいし、異なるものであってもよい。
【００２２】
例えば、上述の品質測定処理における測定精度及び上述のＣＱＩの測定精度に対する要求条件に基づいて、上述の品質測定処理のために用いられるＣＳＩ-ＲＳ及び上述のＣＱＩを測定するために用いられるＣＳＩ-ＲＳを同じものにするか或いは異なるものにするかについて決定することができる。
【００２３】
また、ＣＳＩ-ＲＳの配置密度は、ＣＲＳの配置密度と比べて低くなるように構成されている。
【００２４】
また、セル＃１〜＃５において、下りリンクにおけるＣｏＭＰ送信処理が行われる場合、セル＃１〜＃５において、同一のＰＣＩ（Ｐｈｙｓｉｃａｌ  Ｃｅｌｌ  ＩＤ）が用いられるように構成されていてもよいし、異なるＰＣＩが用いられるように構成されていてもよい。
【００２５】
さらに、下りリンクにおけるＣｏＭＰ送信処理を行う場合、移動局ＵＥに対して、ＣＳＩを測定して報告するためのリソースである１つ又は複数のＣＳＩ-ＲＳが設定することができる。
【００２６】
また、下りリンクにおけるＣｏＭＰ送信処理を行う場合、移動局ＵＥに対して、１つ又は複数の干渉測定（Ｉｎｔｅｒｆｅｒｅｎｃｅ  ｍｅａｓｕｒｅｍｅｎｔ）を行うように設定することができる。
【００２７】
各干渉測定には、１つのＣＳＩ-ＩＭ（ＣＳＩ-Ｉｎｔｅｒｆｅｒｅｎｃｅ  Ｍｅａｓｕｒｅｍｅｎｔ）リソースが関連付けられている。ここで、ＣＳＩ-ＩＭリソースは、移動局ＵＥが干渉測定を行うべきリソースエレメント（ＲＥ：Ｒｅｓｏｕｒｃｅ  Ｅｌｅｍｅｎｔ）の集合である。
【００２８】
また、下りリンクにおけるＣｏＭＰ送信処理を行う場合、移動局ＵＥに対して、複数のＣＳＩプロセスを設定することができる。各ＣＳＩプロセスは、１つのＣＳＩ-ＲＳリソース及び１つのＣＳＩ-ＩＭリソースに関連付けられているＣＳＩ測定（ＣＳＩ  ｍｅａｓｕｒｅｍｅｎｔ）を規定する。
【００２９】
図２に示すように、無線基地局ｅＮＢは、制御部１１と、送信部１２と、受信部１３とを具備している。
【００３０】
制御部１１は、送信部１２及び受信部１３と協働して、下りリンクにおけるＣｏＭＰ送信処理やキャリアアグリゲーション（ＣＡ：Ｃａｒｒｉｅｒ  Ａｇｇｒｉｇａｔｉｏｎ）処理に関する各種制御を行うように構成されている。
【００３１】
送信部１２は、移動局ＵＥに対して各種信号を送信するように構成されており、受信部１３は、移動局ＵＥから各種信号を受信するように構成されている。
【００３２】
例えば、送信部１２は、配下のセルに接続している移動局ＵＥに対して、ＲＲＣ信号、例えば、「ＲＲＣ  Ｃｏｎｎｅｃｔｉｏｎ  Ｒｅｃｏｎｆｉｇｕｒａｔｉｏｎ」を送信することによって、複数のＣＳＩプロセスを設定するように構成されている。
【００３３】
また、送信部１２は、移動局ＵＥに対して、ＭＡＣ-ＣＥ（Ｍｅｄｉａ  Ａｃｃｅｓｓ  Ｃｏｎｔｒｏｌ  Ｃｏｎｔｒｏｌ  Ｅｌｅｍｅｎｔ）信号を送信することによって、かかる移動局ＵＥに対して設定された複数のＣＳＩプロセスうちＣＳＩを報告すべきＣＳＩプロセスを指定するように構成されている。
【００３４】
ここで、送信部１２は、図３に示すように、キャリアアグリゲーションにおけるＳｃｅｌｌのアクティブ化及びディアクティブ化に用いられるＭＡＣ-ＣＥ信号Ｃ内のリザーブビットＲ（３ＧＰＰのＴＳ３６.３２１参照）を用いて、上述のＣＳＩを報告すべきＣＳＩプロセスの指定を行うように構成されていてもよい。
【００３５】
ここで、移動局ＵＥは、かかるリザーブビットＲが「１」に設定されている場合、上述のＣＳＩを報告すべきＣＳＩプロセスの指定が指示されていると判定する。
【００３６】
例えば、移動局ＵＥは、かかるリザーブビットＲが「０」に設定されている場合、キャリアアグリゲーションにおけるＳｃｅｌｌのアクティブ化及びディアクティブ化に用いられるＭＡＣ-ＣＥ信号Ｃ内のビットＣ１〜Ｃ７が「１」に設定されている場合、かかるビットＣ１〜Ｃ７に対応するＣＳＩプロセスでＣＳＩを報告すべきであると指示されていると判定し、ビットＣ１〜Ｃ７が「０」に設定されている場合、かかるビットＣ１〜Ｃ７に対応するＣＳＩプロセスでＣＳＩを報告すべきではないと指示されていると判定する。
【００３７】
なお、移動局ＵＥは、かかるリザーブビットＲが「０」に設定されている場合、キャリアアグリゲーションにおけるＳｃｅｌｌのアクティブ化及びディアクティブ化に用いられるＭＡＣ-ＣＥ信号Ｃ内のビットＣ１〜Ｃ７が「１」に設定されている場合、かかるビットＣ１〜Ｃ７に対応するＳｃｅｌｌのアクティブ化が指示されていると判定し、ビットＣ１〜Ｃ７が「０」に設定されている場合、かかるビットＣ１〜Ｃ７に対応するＳｃｅｌｌのディアクティブ化が指示されていると判定する。
【００３８】
或いは、送信部１２は、図４に示すように、新規に規定された専用のＭＡＣ-ＣＥ信号Ｄ内のビットＣ１〜Ｃ７を用いて、上述のＣＳＩを報告すべきＣＳＩプロセスの指定を行うように構成されていてもよい。
【００３９】
ここで、移動局ＵＥは、かかる専用のＭＡＣ-ＣＥ信号Ｃ内のビットＣ１〜Ｃ７が「１」に設定されている場合、かかるビットＣ１〜Ｃ７に対応するＣＳＩプロセスでＣＳＩを報告すべきであると指示されていると判定し、ビットＣ１〜Ｃ７が「１」に設定されている場合、かかるビットＣ１〜Ｃ７に対応するＣＳＩプロセスでＣＳＩを報告すべきではないと指示されていると判定する。
【００４０】
なお、移動局ＵＥは、無線基地局ｅＮＢに対して、指定されたＣＳＩプロセスに関連付けられているリソースを用いて、ＣＳＩを送信するように構成されている。
【００４１】
すなわち、移動局ＵＥは、指定されているＣＳＩプロセスに関連付けられているＣＳＩ-ＲＳを用いて、かかるＣｏＭＰ用送信ポイントにおけるＣＱＩを測定するように構成されている。
【００４２】
なお、移動局ＵＥに対して設定されたＣＳＩプロセスは、デフォルト状態で、ＣＳＩを報告すべきであると設定されていてもよいし、デフォルト状態では、ＣＳＩを報告すべきではないと設定されていてもよい。
【００４３】
送信部１２は、ＲＲＣ信号によって、ＣＳＩプロセスのデフォルト状態として、ＣＳＩを報告すべきか否かについて指示するように構成されていてもよい。
【００４４】
本実施形態に係る移動通信システムによれば、移動局ＵＥは、指定されているＣＳＩプロセスにおけるＣＳＩのみを送信すればよいため、使用される頻度の低いＣＳＩプロセスにおけるＣＳＩについては報告しなくてもよくなり、上り無線リソースにおける負荷を低減することができる。
【００４５】
また、本実施形態に係る移動通信システムでは、無線基地局ｅＮＢが、ＲＲＣ信号を用いて、移動局ＵＥに対して、カバレッジエリアの異なる複数のセルに対応するＣＳＩプロセスを設定し、ＭＡＣ-ＣＥ信号を用いて、かかる複数のＣＳＩプロセスの各々でＣＳＩを報告すべきであるか否かについて指定することができるように構成されている。
【００４６】
すなわち、本実施形態に係る移動通信システムによれば、ＭＡＣ-ＣＥ信号を用いることで、ＣＳＩプロセスの各々においてＣＳＩを報告すべきか否かについての切り替えを高速に行うことができる。
【００４７】
さらに、本実施形態に係る移動通信システムによれば、カバレッジエリアの異なる複数のセルに対応するＣＳＩプロセスの設定、及び、かかる複数のＣＳＩプロセスの各々におけるＣＳＩを報告すべきであるか否かについての指定を独立して行うことができる。
【００４８】
以上に述べた本実施形態の特徴は、以下のように表現されていてもよい。
【００４９】
本実施形態の第１の特徴は、移動通信方法であって、無線基地局ｅＮＢが、下りリンクにおけるＣｏＭＰ送信処理（マルチポイント協調送信処理）を行う際に、配下のセル＃１〜＃５に接続している移動局ＵＥに対して、ＲＲＣ信号によって、ＣＳＩプロセスを設定する工程Ａと、無線基地局ｅＮＢが、移動局ＵＥに対して、ＭＡＣ-ＣＥ信号によって、設定されたＣＳＩプロセスのうちＣＳＩを報告すべきＣＳＩプロセスを指定する工程Ｂと、移動局ＵＥが、指定されたＣＳＩプロセスに関連付けられているリソースを用いて、無線基地局ｅＮＢに対して、ＣＳＩを報告する工程Ｃとを有することを要旨とする。
【００５０】
本実施形態の第１の特徴において、上述の工程Ｂにおいて、キャリアアグリゲーションにおけるＳｃｅｌｌのアクティブ化及びディアクティブ化に用いられるＭＡＣ-ＣＥ信号内のリザーブビットＲを用いて、上述のＣＳＩプロセスの指定を行ってもよい。
【００５１】
本実施形態の第２の特徴は、無線基地局ｅＮＢであって、下りリンクにおけるＣｏＭＰ送信処理を行う際に、無線基地局ｅＮＢ配下のセル＃１〜＃５に接続している移動局ＵＥに対して、ＲＲＣ信号によって、ＣＳＩプロセスを設定し、移動局ＵＥに対して、ＭＡＣ-ＣＥ信号によって、設定されたＣＳＩプロセスのうちＣＳＩを報告すべきＣＳＩプロセスを指定するように構成されている送信部１２と、移動局ＵＥから、指定したＣＳＩプロセスに関連付けられているリソースを介してＣＳＩを受信するように構成されている受信部１３とを具備することを要旨とする。
【００５２】
本実施形態の第２の特徴において、送信部１２は、キャリアアグリゲーションにおけるＳｃｅｌｌのアクティブ化及びディアクティブ化に用いられるＭＡＣ-ＣＥ信号内のリザーブビットＲを用いて、上述のＣＳＩプロセスの指定を行うように構成されていてもよい。
【００５３】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００５４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００５６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５７】
ＵＥ…移動局
ｅＮＢ…無線基地局
１１…制御部
１２…送信部
１３…受信部
【図１】
2014138395.tif 000003
【図２】
2014138395.tif 000004
【図３】
2014138395.tif 000005
【図４】
2014138395.tif 000006